(57)【要約】  【課題】  ケーブルを介して一の端末装置に表示される情報を他の端末装置へ表示する従来の手法においては、動画などのコンテンツの表示は適切であるが、例えばプレゼンテーション等を行なうために文字情報を表示した場合、文字がぼやけてしまい、鮮明に表示させることができないという課題が生じていた。  【解決手段】  本発明は、インターフェイスを選択するためのインターフェイス選択情報に基づいて、異なる種類の複数の出力インターフェイス部から適切な出力インターフェイスを自動的に選択する携帯端末装置を提案するものである。これにより、出力するコンテンツが、動画などの映像コンテンツであっても、あるいは、文字情報からなるコンテンツであっても、鮮明に表示させることができる。【選択図】            図３
2006211059.tif 000002
【特許請求の範囲】
【請求項１】
異なる種類の複数の出力インターフェイス部を有する携帯端末装置。
【請求項２】
コンテンツ情報を取得するコンテンツ情報取得部と、
インターフェイスを選択するための情報であるインターフェイス選択情報を取得するインターフェイス選択情報取得部と、
前記コンテンツ情報取得部にて取得したコンテンツを外部出力すべき出力インターフェイス部を、前記インターフェイス選択情報に基づいて選択するインターフェイス選択部と
を有する請求項１に記載の携帯端末装置。
【請求項３】
前記インターフェイス選択情報取得部は、インターフェイス選択情報として、コンテンツ情報の外部装置での表現形式を示す情報である外部表現形式情報を取得する外部表現形式情報取得手段を有する請求項２に記載の携帯端末装置。
【請求項４】
前記外部表現形式情報取得手段は、前記コンテンツ情報取得部が取得したコンテンツ情報を分析するコンテンツ情報分析器と、
前記コンテンツ情報分析器でのコンテンツ情報の分析結果に基づいて外部表現形式情報を取得する外部表現形式分析結果依存取得器と、
を有する請求項３に記載の携帯端末装置。
【請求項５】
前記インターフェイス選択情報取得部は、インターフェイス選択情報として、前記コンテンツ情報取得部にて取得するコンテンツの属性を示す情報であるコンテンツ属性情報を取得するコンテンツ属性情報取得手段を有する請求項２に記載の携帯端末装置。
【請求項６】
前記コンテンツ情報取得部にて取得するコンテンツ情報は、ファイル形式の情報であり、
前記インターフェイス選択情報取得部は、インターフェイス選択情報として、前記コンテンツ情報のファイルの拡張子を示す情報であるファイル拡張子情報を取得するファイル拡張子情報取得手段を有する請求項２に記載の携帯端末装置。
【請求項７】
前記異なる種類の複数の出力インターフェイス部には、有線インターフェイスと共に、無線インターフェイスを含む請求項１から６のいずれか一に記載の携帯端末装置。
【請求項８】
前記異なる種類の複数の出力インターフェイス部は、ＮＴＳＣインターフェイス、アナログＲＧＢインターフェイス、ＤＶＩインターフェイス、赤外線インターフェイス、ブルートゥースインターフェイスのいずれか二以上である請求項１から６のいずれか一に記載の携帯端末装置。
【請求項９】
前記携帯端末装置は携帯電話機能を有する請求項１から８のいずれか一に記載の携帯端末装置。
【請求項１０】
コンテンツ情報を取得するコンテンツ情報取得ステップと、
異なる種類の複数の出力インターフェイスを選択するための情報であるインターフェイス選択情報を取得するインターフェイス選択情報取得ステップと、
前記コンテンツ情報取得ステップにて取得したコンテンツを外部出力すべき出力インターフェイスを、前記インターフェイス選択情報に基づいて選択するインターフェイス選択ステップと
をからなる出力インターフェイス選択方法。
【発明の詳細な説明】
【技術分野】
【０００１】
本発明は、携帯電話などのＡＶ外部インターフェイスに関するものである。
【背景技術】
【０００２】
従来から、一の端末装置と、他の端末装置とをケーブルで接続し、ケーブルを介して一の端末装置に表示される情報を他の端末装置へ表示する手法についてはすでに提案されている（特許文献１参照。）。端末装置における出力インターフェイスは主にＮＴＳＣのみが想定されており、一の端末装置から映像信号を取得した他の端末装置ではそのままの表現形式（ＮＴＳＣ）にて表示される。
【特許文献１】特開２００４−１６３７０６号公報
【発明の開示】
【発明が解決しようとする課題】
【０００３】
しかしながら、上記ＮＴＳＣインターフェイスにてコンテンツを出力する手法においては、動画などのコンテンツの表示は適切であるが、例えばプレゼンテーション等を行なうために文字情報からなるコンテンツを表示した場合、文字がぼやけてしまい、鮮明に表示させることができないという課題が生じていた。
【課題を解決するための手段】
【０００４】
本発明は、かかる実情に鑑み、インターフェイスを選択するためのインターフェイス選択情報に基づいて、異なる種類の複数の出力インターフェイス部から適切な出力インターフェイスを選択する携帯端末装置を提案するものである。これにより、出力するコンテンツが、動画などの映像コンテンツであっても、あるいは、例えばプレゼンテーション等を行なうために文字情報からなるコンテンツであっても、鮮明に表示させることができる。
【０００５】
インターフェイス選択情報として、コンテンツ情報の外部装置での表現形式を示す情報である外部表現形式情報を取得するとしてもよい。このとき、取得したコンテンツ情報を分析し、その分析結果に基づいて外部表現形式情報を取得することができる。その他、インターフェイス選択情報として、コンテンツの属性を示すコンテンツ属性情報や、前記コンテンツ情報のファイルの拡張子を示すファイル拡張子情報を取得するとしてもよい。
【発明の効果】
【０００６】
以上、説明したように本件発明のいずれか一又は二以上の発明に係る携帯端末装置は、インターフェイス選択情報に基づいて自動的に出力インターフェイスが選択されることで、出力するコンテンツがいかなる形式であっても外部機器に鮮明に表示させることができる。利用者が特段の作業を行なわなくても出力インターフェイスが自動的に選択されるため、簡便である。
【０００７】
また、インターフェイス選択情報として、外部表現形式情報に基づいて、異なる種類の複数の出力インターフェイス部から適切な出力インターフェイスを選択すれば、コンテンツの内容に対応した適切な出力インターフェイスへ出力を行なうことができることが有益である。同様に、インターフェイス選択情報として、コンテンツ属性情報や、ファイル拡張子情報に基づいた選択を行なうとすれば、コンテンツの属性やファイルの拡張子に対応した適切な出力インターフェイスへ出力を行なうことができる。
【発明を実施するための最良の形態】
【０００８】
以下に、各発明を実施するための最良の形態を説明する。なお、本発明はこれら実施の形態に何ら限定されるものではなく、その要旨を逸脱しない範囲において、種々なる態様で実施しうる。
【０００９】
実施形態１は、主に請求項１、７、８、９などについて説明する。  実施形態２は、主に請求項２、１０などについて説明する。  実施形態３は、主に請求項３などについて説明する。  実施形態４は、主に請求項４などについて説明する。  実施形態５は、主に請求項５などについて説明する。  実施形態６は、主に請求項６などについて説明する。
【００１０】
<<実施形態１>>
【００１１】
<実施形態１：概要>  実施形態１について説明する。本実施形態は、異なる種類の複数の出力インターフェイス部を有する携帯端末装置である。
【００１２】
図１は、本実施形態の概念の一例を示すものである。図には、本実施形態の携帯端末装置の表示画面に表示される情報を外部の機器へ表示させるための処理を行う場面を示した。外部の機器としては、図示したように、例えば、テレビ、パソコン、ＰＤＡ、ファックスなどの他、スクリーンへ投影して表示できるプロジェクタなどが該当する。携帯端末装置は、異なる種類の複数の出力インターフェイスを有しており、そのうち適切な出力インターフェイスからの出力に基づいて、テレビなどの外部機器にて表示が行なわれる。出力インターフェイスとしては、有線インターフェイスでもよいし、無線インターフェイスでもよい。
【００１３】
<実施形態１：構成>  本実施形態での機能ブロックの一例を図２に示した。  図２に示す本実施形態の「携帯端末装置」（０２００）は、「出力インターフェイス部」（０２０１）を有する。
【００１４】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。  具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００１５】
「携帯端末装置」（０２００）は、携帯型の端末装置であり、例えば、携帯電話や、ＰＨＳ、ＰＤＡ、ノートパソコンなどが該当する。
【００１６】
「出力インターフェイス部」（０２０１）は、携帯端末装置から外部機器への出力を仲立ちするための処理を行う。具体的には、表示したいコンテンツなどの情報を、適切な表示形式にて相手（外部機器）に表示できるように行なう処理などが該当する。ここで、外部機器とは、例えば、テレビ、パソコン、ＰＤＡ、ファックスなどの他、スクリーンへ投影して表示できるプロジェクタなどが該当する。複数の出力インターフェイスのうち、どれを選択するかについては実施形態２以降にて説明する。
【００１７】
また、携帯端末装置には異なる種類の複数の出力インターフェイス部を有する。これは、有線インターフェイスであってもよいし、無線インターフェイスであってもよい。具体的には、ＮＴＳＣインターフェイス、アナログＲＧＢインターフェイス、ＤＶＩインターフェイス、赤外線インターフェイス、ブルートゥースインターフェイスなどが該当する。携帯端末装置は、これらのインターフェイスのうちいずれか二以上の出力インターフェイスを有する。
【００１８】
まず、「ＮＴＳＣインターフェイス」とは、テレビの映像信号方式（Ｎａｔｉｏｎａｌ  ＴＶ  Ｓｙｓｔｅｍ  Ｃｏｍｍｉｔｔｅｅ）のためのインターフェイスである。ＮＴＳＣインターフェイスは、動画、静止画などの映像を出力する場合に適している。「アナログＲＧＢインターフェイス」とは、Ｒｅｄ（赤）／Ｇｒｅｅｎ（緑）／Ｂｌｕｅ（青）の３原色をもとに画像を表示する出力画像信号方式のためのインターフェイスである。アナログＲＧＢインターフェイスは、例えば、プレゼンテーション用の資料や、メールなどの文字情報を出力する場合に適している。「ＤＶＩインターフェイス」とは、デジタル方式のディスプレイ接続インターフェイス（Ｄｉｇｉｔａｌ  Ｖｉｓｕａｌ  Ｉｎｔｅｒｆａｃｅ）である。アナログＲＧＢインターフェイスと異なり、デジタルデータをアナログ化することなくデジタルのまま送出できるので、信号劣化もなく画質が向上する。主にパソコンのモニタへ出力する場合に適している。
【００１９】
また、無線インターフェイスとしては、「赤外線インターフェイス」と、「ブルートゥースインターフェイス」とが想定される。「赤外線インターフェイス」とは、赤外線によるインターフェイスであり、ＩｒＤＡ（Ｉｎｆｒａｒｅｄ  Ｄａｔａ  Ａｓｓｏｃｉａｔｉｏｎ）などが該当する。「ブルートゥースインターフェイス」とは、２．４ＧＨｚ帯域を用いる無線伝送方式のためのインターフェイスである。ブルートゥースインターフェイスの場合、機器間の距離が１０ｍ以内であれば障害物があっても利用できる点が赤外線インターフェイスよりも優れている。
【００２０】
<実施形態１：効果>  本実施形態は、異なる種類の複数の出力インターフェイス部を有する携帯端末装置である。これにより、複数の出力インターフェイスから適切な出力インターフェイスを選択して外部機器に出力することができる。出力するコンテンツが、動画などの映像コンテンツであっても、あるいは、例えばプレゼンテーション等を行なうために文字情報からなるコンテンツであっても、鮮明に表示させることができる。
【００２１】
<<実施形態２>>
【００２２】
<実施形態２：概要>  実施形態２について説明する。本実施形態は、コンテンツを外部出力すべき出力インターフェイス部を、インターフェイスを選択するためのインターフェイス選択情報に基づいて選択することに特徴を有する携帯端末装置である。
【００２３】
<実施形態２：構成>  本実施形態での機能ブロックの一例を図３に示した。  図３に示す本実施形態の「携帯端末装置」（０３００）は、「出力インターフェイス部」（０３０１）と、さらに、「コンテンツ情報取得部」（０３０２）と、「インターフェイス選択情報取得部」（０３０３）と、「インターフェイス選択部」（０３０４）とを有する。
【００２４】
「コンテンツ情報取得部」（０３０２）は、コンテンツ情報を取得する。「コンテンツ情報」は、映像（動画・静止画）、文字などのコンテンツを構成する情報である。コンテンツ情報の取得には、外部から送信されるコンテンツ情報を受信することや、記録媒体（ＤＶＤ、ＩＣカードなど）から取得すること、携帯端末装置内部にて生成したコンテンツ情報を取得することなどが該当する。
【００２５】
「インターフェイス選択情報取得部」（０３０３）は、インターフェイス選択情報を取得する。「インターフェイス選択情報」は、インターフェイスを選択するための情報である。インターフェイス選択情報は、コンテンツ情報の外部装置での表現形式を示す情報や、コンテンツの属性を示す情報、コンテンツ情報のファイルの拡張子を示す情報などが該当する。これらの詳細については、実施形態３以降にて説明する。
【００２６】
「インターフェイス選択部」（０３０４）は、前記コンテンツ情報取得部（０３０２）にて取得したコンテンツを外部出力すべき出力インターフェイス部（０３０１）を、前記インターフェイス選択情報に基づいて選択する。インターフェイス選択情報に基づく出力インターフェイス部の選択とは、外部機器にて鮮明な表示を行なうために行なわれるもので、具体的には、コンテンツ情報の外部装置での表現形式を示す情報に基づいて、動画・静止画などの映像コンテンツはＮＴＳＣインターフェイスを選択し、プレゼンの資料等の文字コンテンツはアナログＲＧＢインターフェイスなどを選択することが該当する。その他、コンテンツの属性を示す情報に基づいて、テレビ画像などの映像コンテンツはＮＴＳＣインターフェイスを選択し、メールの内容等の文字コンテンツはアナログＲＧＢインターフェイスなどを選択することや、コンテンツ情報のファイルの拡張子を示す情報に基づいて、「．ｍｐ４」や「．ｊｐｇ」などはＮＴＳＣインターフェイスを選択し、「．ｐｐｔ」や「．ｐｄｆ」などはアナログＲＧＢインターフェイスなどを選択するなどが挙げられる。
【００２７】
その他各部の処理については、実施形態１と同様である。
【００２８】
<実施形態２：処理の流れ>  図４は、実施形態２での処理の流れの一例を示したものである。まず、コンテンツ情報を取得する（コンテンツ情報取得ステップ  Ｓ０４０１）。次に、異なる種類の複数の出力インターフェイスを選択するための情報であるインターフェイス選択情報を取得する（インターフェイス選択情報取得ステップ  Ｓ０４０２）。最後に、前記コンテンツ情報取得ステップ（Ｓ０４０１）にて取得したコンテンツを外部出力すべき出力インターフェイスを、前記インターフェイス選択情報に基づいて選択する（インターフェイス選択ステップ  Ｓ０４０３）。
【００２９】
以上の処理は、計算機に実行させるためのプログラムで実行することができ、また、このプログラムを計算機によって読取り可能な記録媒体に記録することができる。（本明細書の全体を通して同様である。）
【００３０】
<実施形態２：効果>  本実施形態は、コンテンツを外部出力すべき出力インターフェイス部を、インターフェイスを選択するためのインターフェイス選択情報に基づいて選択することに特徴を有する携帯端末装置である。インターフェイス選択情報に基づいて自動的に出力インターフェイスが選択されることで、出力するコンテンツがいかなる形式であっても外部機器に鮮明に表示させることができる。利用者が特段の作業を行なわなくても出力インターフェイスが自動的に選択されるため、簡便である。
【００３１】
<<実施形態３>>
【００３２】
<実施形態３：概要>  実施形態３について説明する。本実施形態は、インターフェイス選択情報として、コンテンツ情報の外部装置での表現形式を示す情報である外部表現形式情報を取得することに特徴を有する携帯端末装置である。
【００３３】
<実施形態３：構成>  本実施形態での機能ブロックの一例を図５に示した。  図５に示す本実施形態の「携帯端末装置」（０５００）は、「出力インターフェイス部」（０５０１）と、「コンテンツ情報取得部」（０５０２）と、「インターフェイス選択情報取得部」（０５０３）と、「インターフェイス選択部」（０５０４）とを有し、さらに、インターフェイス選択情報取得部（０５０３）は「外部表現形式情報取得手段」（０５０５）を有する。
【００３４】
「外部表現形式情報取得手段」（０５０５）は、インターフェイス選択情報として、外部表現形式情報を取得する。「外部表現形式情報」は、コンテンツ情報の外部装置での表現形式を示す情報である。外部表現形式情報は、例えば、「動画・静止画などの映像の再生処理」、あるいは、「文字コンテンツの表示処理」等の表現形式の種別を示す情報などが該当する。外部表現形式情報は、コンテンツ情報に付随して取得するとしてもよいし、取得したコンテンツ情報を分析し、その結果に応じて生成されるとしてもよい。後者については、実施形態４にて詳述する。
【００３５】
「インターフェイス選択部」（０５０４）では、外部表現形式情報に基づいて出力インターフェイスを選択する。図６に、インターフェイス選択情報と、選択される出力インターフェイスの関係について示した。例えば、動画・静止画などの映像コンテンツはＮＴＳＣインターフェイスを選択し、プレゼンの資料等の文字コンテンツはアナログＲＧＢインターフェイスなどを選択することができる。
【００３６】
その他各部の処理については、実施形態２と同様である。
【００３７】
<実施形態３：効果>  本実施形態は、インターフェイス選択情報として、コンテンツ情報の外部装置での表現形式を示す情報である外部表現形式情報を取得することに特徴を有する携帯端末装置である。外部表現形式情報によれば、コンテンツの内容に対応した適切な出力インターフェイスへ出力を行なうことができることが有益である。
【００３８】
<<実施形態４>>
【００３９】
<実施形態４：概要>  実施形態４について説明する。本実施形態は、取得したコンテンツ情報を分析し、その分析結果に基づいて外部表現形式情報を取得することに特徴を有する携帯端末装置である。
【００４０】
<実施形態４：構成>  本実施形態での機能ブロックの一例を図７に示した。  図７に示す本実施形態の「携帯端末装置」（０７００）は、「出力インターフェイス部」（０７０１）と、「コンテンツ情報取得部」（０７０２）と、「インターフェイス選択情報取得部」（０７０３）と、「インターフェイス選択部」（０７０４）とを有し、さらに、インターフェイス選択情報取得部（０７０３）は「外部表現形式情報取得手段」（０７０５）を有する。加えて、外部表現形式情報取得手段（０７０５）は「コンテンツ情報分析器」（０７０６）と、「外部表現形式分析結果依存取得器」（０７０７）とを有する。
【００４１】
「コンテンツ情報分析器」（０７０６）は、前記コンテンツ情報取得部（０７０２）が取得したコンテンツ情報を分析する。分析とは、画像内の対象物の動きベクトルの量や、対象物の輪郭の鮮明度、文字情報の量などをそれぞれ所定の閾値などと比較することなどが想定される。例えば、画像内の対象物の動きベクトルの量が大きい場合には動画情報、小さい場合には文字情報と分析を行うことができる。あるいは、対象物の輪郭の鮮明度が高い場合には文字情報、鮮明度が低い場合には画像情報との分析や、文字情報の量が多い場合には文字情報、少ない場合には画像情報との分析を行なうことができる。その他、各種デコーダ（ＭＰＥＧ、ＪＰＥＧデコーダなど）によりデコード処理を行い、その結果に基づいてもとの情報が画像情報か、あるいは、文字情報かを分析することもできる。この分析結果を外部表現形式分析結果依存取得器へと渡される。
【００４２】
「外部表現形式分析結果依存取得器」（０７０７）は、前記コンテンツ情報分析器（０７０６）でのコンテンツ情報の分析結果に基づいて外部表現形式情報を取得する。コンテンツ情報の分析結果に基づいて、例えば、「動画・静止画などの映像の再生処理」、あるいは、「文字コンテンツの表示処理」等の表現形式の種別を示す情報などの外部表現形式情報を取得する。
【００４３】
「インターフェイス選択部」（０７０４）は、外部表現形式情報に基づいて、出力インターフェイスを選択動画・静止画などの映像コンテンツはＮＴＳＣインターフェイスを選択し、プレゼンの資料等の文字コンテンツはアナログＲＧＢインターフェイスなどを選択することができる。
【００４４】
その他各部の処理については、実施形態３と同様である。
【００４５】
<実施形態４：効果>  本実施形態は、取得したコンテンツ情報を分析し、その分析結果に基づいて外部表現形式情報を取得することに特徴を有する携帯端末装置である。コンテンツ情報を分析することにより、コンテンツの内容により正確に対応した適切な出力インターフェイスへ出力を行なうことができることが期待できる。
【００４６】
<<実施形態５>>
【００４７】
<実施形態５：概要>  実施形態５について説明する。本実施形態は、インターフェイス選択情報として、前記コンテンツ情報取得部にて取得するコンテンツの属性を示す情報であるコンテンツ属性情報を取得することに特徴を有する携帯端末装置である。
【００４８】
<実施形態５：構成>  本実施形態での機能ブロックの一例を図８に示した。  図８に示す本実施形態の「携帯端末装置」（０８００）は、「出力インターフェイス部」（０８０１）と、「コンテンツ情報取得部」（０８０２）と、「インターフェイス選択情報取得部」（０８０３）と、「インターフェイス選択部」（０８０４）とを有し、さらに、インターフェイス選択情報取得部（０８０３）は「コンテンツ属性情報取得手段」（０８０５）を有する。
【００４９】
「コンテンツ属性情報取得手段」（０８０５）は、インターフェイス選択情報として、コンテンツ属性情報を取得する。「コンテンツ属性情報」は、前記コンテンツ情報取得部（０８０２）にて取得するコンテンツの属性を示す情報である。コンテンツ属性情報は、例えば、「テレビ画像コンテンツ」、あるいは、「メールコンテンツ」などのコンテンツの属性の種別を示す情報などが該当する。コンテンツ属性情報は、コンテンツ情報に付随して取得するとしてもよいし、携帯端末装置の各機能（テレビチューナー、メーラーなど）の起動状態に応じて生成されるとしてもよい。また、ファイルのフォーマット方法に基づいてコンテンツ属性情報を生成するとしてもよい。
【００５０】
「インターフェイス選択部」（０８０４）では、コンテンツ属性情報に基づいて出力インターフェイスを選択する。図６に、インターフェイス選択情報と、選択される出力インターフェイスの関係について示した。例えば、テレビ画像などの映像コンテンツはＮＴＳＣインターフェイスを選択し、メールの内容等の文字コンテンツはアナログＲＧＢインターフェイスなどを選択することができる。
【００５１】
その他各部の処理については、実施形態２と同様である。
【００５２】
<実施形態５：効果>  本実施形態は、インターフェイス選択情報として、前記コンテンツ情報取得部にて取得するコンテンツの属性を示す情報であるコンテンツ属性情報を取得することに特徴を有する携帯端末装置である。コンテンツ属性情報によれば、コンテンツの属性に対応した適切な出力インターフェイスへ出力を行なうことができることが有益である。
【００５３】
<<実施形態６>>
【００５４】
<実施形態６：概要>  実施形態６について説明する。本実施形態は、インターフェイス選択情報として、前記コンテンツ情報のファイルの拡張子を示す情報であるファイル拡張子情報を取得することに特徴を有する携帯端末装置である。
【００５５】
<実施形態６：構成>  本実施形態での機能ブロックの一例を図９に示した。  図９に示す本実施形態の「携帯端末装置」（０９００）は、「出力インターフェイス部」（０９０１）と、「コンテンツ情報取得部」（０９０２）と、「インターフェイス選択情報取得部」（０９０３）と、「インターフェイス選択部」（０９０４）とを有し、さらに、インターフェイス選択情報取得部（０９０３）は「ファイル拡張子情報取得手段」（０９０５）を有する。
【００５６】
「コンテンツ情報取得部」（０９０２）は、ファイル形式のコンテンツ情報を取得する。
【００５７】
「ファイル拡張子情報取得手段」（０９０５）は、インターフェイス選択情報として、ファイル拡張子情報を取得する。「ファイル拡張子情報」は、前記コンテンツ情報のファイルの拡張子を示す情報である。ファイル拡張子情報は、例えば、「．ｍｐ４」、あるいは、「．ｐｄｆ」などのコンテンツの拡張子の種別を示す情報などが該当する。ファイル拡張子情報は、ファイル形式のコンテンツ情報のプロパティから取得することができる。
【００５８】
「インターフェイス選択部」（０９０４）では、ファイル拡張子情報に基づいて出力インターフェイスを選択する。図６に、インターフェイス選択情報と、選択される出力インターフェイスの関係について示した。例えば、「．ｍｐ４」や「．ｊｐｇ」などはＮＴＳＣインターフェイスを選択し、「．ｐｐｔ」や「．ｐｄｆ」、「．ｄｏｃ」、「．ｘｌｓ」、「．ｔｘｔ」などはアナログＲＧＢインターフェイスなどを選択することができる。
【００５９】
その他各部の処理については、実施形態２と同様である。
【００６０】
<実施形態６：効果>  本実施形態は、インターフェイス選択情報として、前記コンテンツ情報のファイルの拡張子を示す情報であるファイル拡張子情報を取得することに特徴を有する携帯端末装置である。ファイル拡張子情報によれば、ファイルの拡張子に対応した適切な出力インターフェイスへ出力を行なうことができることが有益である。
【図面の簡単な説明】
【００６１】
【図１】実施形態１を説明するための概念図
【図２】実施形態１を説明するための機能ブロック図
【図３】実施形態２を説明するための機能ブロック図
【図４】実施形態２の処理の流れを説明する図
【図５】実施形態３を説明するための機能ブロック図
【図６】インターフェイス選択情報と、出力インターフェイスとの関係を示した図
【図７】実施形態４を説明するための機能ブロック図
【図８】実施形態５を説明するための機能ブロック図
【図９】実施形態６を説明するための機能ブロック図
【符号の説明】
【００６２】
０３００    携帯端末装置
０３０１    出力インターフェイス部
０３０２    コンテンツ情報取得部
０３０３    インターフェイス選択情報取得部
０３０４    インターフェイス選択部
【図１】
2006211059.tif 000003
【図２】
2006211059.tif 000004
【図３】
2006211059.tif 000005
【図４】
2006211059.tif 000006
【図５】
2006211059.tif 000007
【図６】
2006211059.tif 000008
【図７】
2006211059.tif 000009
【図８】
2006211059.tif 000010
【図９】
2006211059.tif 000011